(57)【特許請求の範囲】
【請求項１】
デジタル情報が記録されるデジタル記録部と、
受信されるＮＴＳＣ（National Television System Committee standard）方式およびＡＴＳＣ（Advanced Television Systems Committee）方式のうちのいずれかに従う番組放送信号を入力して、入力した前記番組放送信号に基づいて、時系列に放送される番組ごとに該番組のタイトルを作成するタイトル作成手段と、
受信される前記番組放送信号を入力して、入力した前記番組放送信号に含まれる番組の視聴者を制限するための視聴者制限情報が変化したことに応じて、あらたな番組が放送開始されたことを検出する番組変更検出手段と、
前記番組変更検出手段により前記あらたな番組の放送開始が検出されたとき、該番組の内容を示すコンテンツデータと前記タイトル作成手段により作成された該番組の前記タイトルと変化後の前記視聴者制限情報とを対応付けて前記デジタル記録部に記録する記録手段と、
前記デジタル記録部に記録された前記タイトルを読出し外部の表示部に出力して一覧表示するタイトル表示手段と、
外部操作により設定される、番組の視聴者に関する情報を示す視聴者情報を入力する視聴者情報入力部と、
前記視聴者情報入力部によって入力される前記視聴者情報を記憶する記憶部とを備えて、
前記タイトル表示手段は、
前記記憶部から読出した前記視聴者情報と、前記デジタル記録部に記録された前記番組ごとの前記視聴者制限情報とを比較し、比較結果、前記視聴者は前記視聴者制限情報に対応の番組の視聴が制限されると判断したときは、該番組に対応の前記タイトルは前記デジタル記録部から読出さず非表示とする、デジタル録画処理装置。
【発明の詳細な説明】
【０００１】
【発明の属する技術分野】
この発明は受信した番組放送信号をデジタル録画処理するデジタル録画処理装置に関し、特に、録画に並行して番組にタイトル付けを行なうことができるデジタル録画処理装置に関する。
【０００２】
【従来の技術】
近年、テレビジョン信号をデジタル化して伝送し、各家庭においてこれを受信するシステムが普及しつつある。
【０００３】
たとえば、特開平９−３７１６８号公報には電子番組ガイド表示制御装置が開示される。この装置では、番組を受信表示している状態において、番組選択操作がされるときは、受信するＥＰＧ(electrical program guide）に基づいて複数個の番組、たとえば５個の番組の縮小画面からなるデータストリームが同時に表示される。カーソル移動により所望の縮小画面を指定して選択できる。このときユーザ側によるペアレンタルロックの解除がなされたか否かに基づいて、アダルトのジャンルに該当の番組の縮小画面が選択されるか選択されないか（表示が一切行なわれないか）するように制御している。
【０００４】
この結果、ペアレンタルロックに基づく視聴者の識別結果に対応して、電子番組ガイドの縮小画面が選択されるから、自然な形で番組の視聴の制限を実現できるという特徴が得られる。
【０００５】
特開平１０−１０８０９０号公報には番組案内表示装置が開示される。番組案内表示装置では、衛星からデジタルテレビジョン放送を受信して番組データと番組に関する情報（チャンネル、番組のタイトル、開始時刻、終了時刻、レーティング情報、料金情報など）からなる番組データとを受信すると、番組データはメモリに記録される。レーティング情報はＮＲ（制限なし）、ＰＧ（子供の鑑賞には保護者の同伴が必要）、ＰＧ−１３（１３歳未満の子供の鑑賞には保護者の同伴が必要）などの情報を含む。
【０００６】
番組の表示フラグの値に従いタイトルの表示態様が変更される。ユーザにより限度料金が５ドル、レーティング情報がＰＧ−１３に設定されているとすれば、これらの設定内容と各番組についての番組データとが比較されて、比較結果に基づいて番組案内画面にてタイトルの表示色を異ならせたりする。
【０００７】
この結果ユーザは番組案内画面を見るだけで、現在の設定において、視聴できる番組および視聴できない番組を一目で識別できるという特徴を有する。
【０００８】
特表２０００−５０１２７３公報には、アイコンを使用したテレビジョンプログラムガイドを生成する装置が示される。具体的には、放送局から送信されてくる番組表のデータに基づいて、プログラムガイドを生成するときは視聴者により入力された制限基準と番組表のデータとを比較してどのプログラムが“ロック”アイコン（対応の番組は利用可能であるが現在は制限されていることを示すためのアイコン）を付して表示すべきか否か判断し、“ロック”アイコンを設定表示している。
【０００９】
その結果、プログラムまたはチャンネルが視聴を制限されているかどうかを視聴者が容易にかつ即座に識別することが可能になるという特徴を有する。
【００１０】
特開２００１−９４９２８公報には、デジタルテレビ放送記録装置が開示される。この装置では、同調選択されたデジタルテレビ放送は録画される際に、大容量ハードディスク装置に取込まれて記録される。この記録の際には管理テーブルが作成される。管理テーブルには該番組を録画した視聴者および他の視聴者による再生を許可する再生許可フラグが記録される。再生許可フラグは、他の視聴者別に外部から設定できるので、番組録画した視聴者は、この録画番組が他の視聴者により無断で再生されるのを確実に禁止することができる。
【００１１】
また、米国特許番号６，２３３，３８９Ｂ１では、受信したデジタルテレビジョン放送をハードディスクなどに記録する場合には、並行して受信するレーティング情報を別個に絶えず記録することが開示される。その結果、録画に並行して、レーティング情報も記録することができるという特徴を有する。
【００１２】
【発明が解決しようとする課題】
上述の公報に示されるように、各家庭では、低価格および大容量化が著しいハードディスク装置（以下、ＨＤＤという）などの大容量記憶装置を搭載したデジタル録画装置により、デジタルテレビジョン信号の記録と再生を行なうことが可能となった。デジタル録画装置の記憶容量は大きいので、大量のデータを格納することができる。
【００１３】
ここに格納されるデータ群であるコンテンツはタイトルと呼ばれる単位で管理される。従来は、録画を開始してから終了するまでの１コンテンツについて１タイトルが割当てられる。１タイトルのコンテンツの中に複数種類の番組についてのデータが含まれる場合には、録画終了後に、ユーザが番組毎にタイトルを作成して、付け直す操作を行う必要があり煩わしかった。
【００１４】
上述のいずれの公報にも、テレビジョン放送をデジタル録画するときに、番組毎にタイトルを作成し、作成したタイトルを番組毎に付加して管理するという教示は何らなされていない。
【００１５】
それゆえに、この発明の目的は、番組ごとにタイトルを作成して付加しながら録画することのできるデジタル録画処理装置を提供することである。
【００１６】
【課題を解決するための手段】
この発明にある局面に従うと、デジタル録画処理装置は、デジタル情報が記録されるデジタル記録部と、
受信される番組放送信号を入力して、入力した番組放送信号に基づいて、時系列に放送される番組ごとに該番組のタイトルを作成するタイトル作成手段と、
受信される番組放送信号を入力して、時系列に放送される番組ごとに、該番組の内容を示すコンテンツデータとタイトル作成手段により作成された該番組のタイトルとを対応付けてデジタル記録部に記録する記録手段とを備える。
【００１７】
上述のデジタル録画処理装置によれば、記録手段による番組の録画は、番組ごとに、該番組のコンテンツデータと、録画に並行してタイトル作成手段により作成された対応のタイトルとが対応付けされてデジタル記録部に記録される。
【００１８】
上述のデジタル録画処理装置において、望ましくは、記録手段は、
受信される番組放送信号を入力して、入力した番組放送信号に含まれる番組の視聴者を制限するための視聴者制限情報が変化したことに応じて、あらたな番組が放送開始されたことを検出する番組変更検出手段を有して、
番組変更検出手段によりあらたな番組の放送開始が検出されたとき、該番組のコンテンツデータとタイトル作成手段により作成された該番組のタイトルとを対応付けてデジタル記録部に記録する。
【００１９】
上述のデジタル録画処理装置によれば、受信する番組放送信号に含まれる番組の視聴者を制限するための視聴者制限情報が変化したことに応じて、あらたな番組が放送開始されたことを検出する。それゆえに、異なるタイトルが対応付けられるべき番組の区別を、特別な操作をしなくても簡単に検出できる。
【００２０】
上述のデジタル録画処理装置では、望ましくは、記録手段は、
番組変更検出手段によりあらたな番組の放送開始が検出されたとき、該番組のコンテンツデータに対応付けて、さらに、変化後の視聴者制限情報をデジタル記録部に記録する。
【００２１】
上述のデジタル録画処理装置によれば、番組ごとに、対応のコンテンツデータ、番組のタイトルおよび視聴者制限情報が記録される。それゆえに、番組の録画により、コンテンツデータとタイトルと視聴者制限情報との一元管理が可能となる。
【００２２】
上述のデジタル録画処理装置は、望ましくは、デジタル記録部に記録されたタイトルを一覧表示するタイトル表示手段をさらに備える。
【００２３】
上述のデジタル録画処理装置によれば、録画によりデジタル記録部に記録された番組のタイトルは一覧表示される。それゆえに、一覧表示を確認することで、デジタル記録部に記録されている番組を一目で認識できる。
【００２４】
上述のデジタル録画処理装置では、望ましくは、タイトル表示手段は、
番組の視聴者に関する情報を示す予め入力された視聴者情報と、デジタル記録部に記録された番組ごとの視聴者制限情報とを比較し、比較結果、視聴者は視聴者制限情報に対応の番組の視聴が制限されると判断したときは、該番組に対応のタイトルを非表示とする。
【００２５】
上述のデジタル録画処理装置によれば、タイトルが一覧表示されるとき、入力された視聴者情報と、デジタル記録部に記録された番組ごとの視聴者制限情報との比較結果、視聴者は視聴者制限情報に対応の番組の視聴が制限されると判断されたときは、該番組に対応のタイトルは表示されない。
【００２６】
それゆえに、デジタル記録部に録画された番組のうち、視聴が制限される番組のタイトルは表示されないから、再生してみるまで視聴が制限される番組であるか否かわからないという不都合は防止される。また、再生時などに視聴が制限される（再生が制限される）番組のタイトルが誤って再生番組として指定されるのを回避できる。
【００２７】
【発明の実施の形態】
以下この発明の各実施の形態について図面を参照し説明する。
【００２８】
（実施の形態１）
図１は、この発明の各実施の形態に係るデジタル録画処理装置の構成を周辺部とともに示す図である。図１のデジタル録画処理装置１は、既存のアナログ放送であるＮＴＳＣ（National Television System Committee standard）方式のテレビジョン放送信号（以下、ＮＴＳＣ信号という）とデジタル放送であるＡＴＳＣ（Advanced Television Systems Committee）方式のテレビジョン放送信号（以下、ＡＴＳＣ信号という）を処理する。
【００２９】
ＮＴＳＣ信号は、放送信号においては放送局により、ＥＩＡ−６０８が規定するライン２１方式に従い、２１番目の走査線において視聴者制限情報が挿入されている。放送局から送信されてくる場合には、２１番目の走査線には番組に関する番組情報（タイトル、放送時間などを示す情報）が挿入されることもある。ＡＴＳＣ信号の場合には放送信号とともにＡ／６５が規定するＥＩＴ（Event Information Table）が、たとえば５００ｍｓ毎に放送局から送信される。
【００３０】
図２に示されるように、ＥＩＴは１つにつき、３時間分の番組に関するデータ（以下、番組データという）を含む。放送局側は１２時間分の番組データを送信するので通常、４つのＥＩＴが送信されてくる。
【００３１】
たとえば図２において、現在１０時であれば、８：００〜２０：００の期間に対応の４つのＥＩＴが送信される。その後、時間が経過して現在時刻が１２時になると、８：００〜１２：００のＥＩＴは送信されてこなくなり、１１：００〜２３：００の期間に対応の４つのＥＩＴが送信されることになる。
【００３２】
図３にはＥＩＴの内容の一例が示される。ＥＩＴは、対応の時間帯で放送される番組のそれぞれについて、番組データ３０を含む。番組データ３０は対応の番組を特定するための番組ＩＤ（IDentification）３１、該番組のタイトル３２、視聴者制限情報３３、該番組の放送開始時間３４および該番組が放送されている時間の長さ３５を示すデータを含む。
【００３３】
図１では、アンテナ２により受信したテレビジョン放送信号はチューナ３により所望チャンネルで放送されている番組の信号が抽出されてデジタル録画処理装置１に与えられる。デジタル録画処理装置１は与えられる信号について次段の表示部１６に画面／音声を出力するように処理をしたり、内部にてデジタル録画処理したりする。
【００３４】
アンテナ２はアナログＮＴＳＣ信号とＡＴＳＣ信号を受信することができる。
デジタル録画処理装置１は、ＮＴＳＣデコーダ４、ＡＴＳＣフロントエンド５、図示されないマイクロコンピュータを含む情報抽出部６、ロジック回路７、ＨＤＤ８、ＣＰＵ（Central Processing Unitの略）９、ＣＰＵ９に接続されるＲＯＭ（Read Only Memory）１０およびＲＡＭ（Random Access Memory）１１、ＭＰＥＧ（Motion Picture Experts Group）デコーダ１２、ＯＳＤ（On Screen Display）１３、後述の視聴者情報２４を内部メモリに記憶するマイクロプロセッサ１４および入力部１５を含む。
【００３５】
入力部１５は、図示されないが、ユーザが操作可能なパネルから入力したユーザの指示内容を入力して、または図示されないがユーザが操作可能なリモートコントローラから受信したユーザの指示内容を示す信号を受信して、マイクロプロセッサ１４に出力する。
【００３６】
マイクロプロセッサ１４は、入力部１５から与えられる内容を入力して、入力内容が、ユーザが所望して選択した受信用のチャンネルを示すときは、該入力内容に基づいて、ユーザ所望のチャンネルを示すチャンネル信号２０を出力する。入力内容が録画を指示している場合は、該入力内容に基づいて録画動作を指示するための録画指示信号２１を出力する。入力内容が、番組のタイトルを表示することを指示している場合には、該入力内容に基づいてタイトル表示のための動作を指示するタイトル表示指示信号２２を出力する。入力内容が録画された情報の再生を指示している場合には、該入力内容に基づいて、再生動作を指示するための再生指示信号２３を出力する。
【００３７】
チャンネル信号２０はチューナ３に与えられる。録画指示信号２１はＣＰＵ９とロジック回路７に与えられる。タイトル表示指示信号２２と再生指示信号２３はロジック回路７に与えられる。
【００３８】
動作においてアンテナ２を介して受信したＮＴＳＣ信号またはＡＴＳＣ信号はチューナ３に出力される。チューナ３はアンテナ２からの入力信号から、与えられるチャンネル信号２０に基づいて、ユーザにより選択されている所望チャンネルの放送信号を抽出して出力する。アンテナ２がＮＴＳＣ信号を受信しているときは、チューナ３による抽出信号はＮＴＳＣデコーダ４に出力され、ＡＴＳＣ信号が受信されているときは、チューナ３による抽出信号はＡＴＳＣフロントエンド５に出力される。
【００３９】
ＮＴＳＣデコーダ４は与えられるＮＴＳＣ信号を入力して所定処理して、ビットストリーム（デジタルデータ）に変換して、情報抽出部６とロジック回路７に出力する。
【００４０】
ＡＴＳＣフロントエンド５は与えられるＡＴＳＣ信号を入力して、所定処理してビットストリームに変換してロジック回路７に出力する。このとき、ＡＴＳＣフロントエンド５は図示されない内部タイマにより計時される現在時刻に対応のＥＩＴを、与えられるＡＴＳＣ信号から取得してロジック回路７に与える。
【００４１】
情報抽出部６はＮＴＳＣデコーダ４から与えられるビットストリームを入力して、２１番目の走査線に挿入された視聴者制限情報または番組情報を抽出して、ＣＰＵ９に出力する。
【００４２】
ＣＰＵ９は録画指示信号２１を入力しているときは、情報抽出部６から与えられる視聴者制限情報または番組情報を入力して、入力情報を、ＲＯＭ１０またはＲＡＭ１１に予め格納されたプログラムまたはデータに従い編集して、対応する番組についてのタイトルを示すデータを作成し、番組タイトル２７としてロジック回路７に出力する。
【００４３】
録画指示信号２１が与えられていないときは、ロジック回路７には番組タイトル２７は出力されない。このとき、ロジック回路７は、ＮＴＳＣデコーダ４またはＡＴＳＣフロントエンド５から与えられるビットストリームを入力して、ＭＰＥＧデコーダ１２に出力する。ＭＰＥＧデコーダ１２は、与えられるビットストリームを映像信号に変換し、ＯＳＤ１３に出力する。ＯＳＤ１３は与えられる映像信号をグラフィック処理してたとえばテレビジョン受像機などの表示部１６に出力する。
【００４４】
ロジック回路７は、再生指示信号２３が与えられるときは、再生指示信号２３により指定される番組の情報をＨＤＤ８から読出して、ＭＰＥＧデコーダ１２に出力する。したがってＨＤＤ８の録画内容は再生されて表示部１６に画面表示される。
【００４５】
ロジック回路７は、録画指示信号２１が与えられるときは、入力されるビットストリームを録画指示信号２１に従い、ＨＤＤ８に記録して録画する。このときロジック回路７は、入力されるビットストリームはＭＰＥＧデコーダ１２にも与える。ロジック回路７は、録画動作するとき、ＮＴＳＣデコーダ４から入力するビットストリームについてはＣＰＵ９から与えられる番組タイトル２７を対応付けながらＨＤＤ８に記録するよう動作する。ＡＴＳＣフロントエンド５から入力するビットストリームについては、ＡＴＳＣフロントエンド５から並行して入力するＥＩＴから対応の番組タイトル３２を得て、対応付けてＨＤＤ８に記録する。
【００４６】
このとき、番組タイトル３２はそのままＨＤＤ８に記録されるとしてもよいし、特定の編集処理を施した後、ＨＤＤ８に記録されるとしてもよい。
【００４７】
ＮＴＳＣ信号およびＡＴＳＣ信号において、視聴者制限情報は同一番組内では変化することはないと考えられるから、視聴者制限情報が変化したときに、新たな番組が放送開始されたと判断することができる。ロジック回路７は録画動作においては、受信しているテレビジョン放送についての視聴者制限情報が変化したことに基づいて、番組の変化を検出したときは、今まで記録していた番組のそれとは別のタイトルを対応付けて番組をＨＤＤ８に記録する。
【００４８】
図４には、図１のＨＤＤ８における記録内容の一例が示される。図４のＨＤＤ８においては、ファイル管理領域４０と録画領域４１とが含まれる。ファイル管理領域４０には、ロジック回路７により１つの番組のタイトル毎に、すなわち番組毎に対応付けてファイル管理情報４２が記録される。録画領域４１には、ロジック回路７により１つの番組のタイトル毎に、すなわち番組毎に対応する番組のビットストリームが番組コンテンツファイル４３として逐次記録される。ファイル管理情報４２と番組コンテンツファイルとは、１対１に対応付けされて記録される。
【００４９】
ファイル管理情報４２は対応の番組についての放送の開始時刻４４および終了時刻４５、番組タイトル４６、対応の番組コンテンツファイル４３についての録画領域４１における録画の開始アドレス４７および終了アドレス４８、対応の番組についての視聴者制限情報４９を含む。開始時刻４４および終了時刻４５は、ＮＴＳＣ信号の場合には上述の番組情報から、ＡＴＳＣ信号の場合にはＥＩＴから得られる。開始アドレス４７は対応の番組コンテンツファイル４３の録画領域４１における先頭アドレスを示し、終了アドレス４７は最後尾のアドレスを示す。
【００５０】
図５（Ａ）と（Ｂ）には、デジタル放送であるＡＴＳＣ信号による場合とアナログ放送であるＮＴＳＣ信号による場合とで、録画に並行した番組タイトル作成のための処理フローチャートが示される。
【００５１】
図５（Ａ）では、ロジック回路７は、ＡＴＳＣフロントエンド５から与えられるＥＩＴの開始時間３４のそれぞれと図示されない内部タイマにより計時されている現在時刻とを比較する（ステップＳ（以下、単にＳと略す）１）。現在時刻が開始時刻３４を超えたと判定した場合には、放送内容は別の番組に切り替わったことを判定する（Ｓ２）。そこで、与えられるＥＩＴの現在時刻に該当する開始時間３４に対応の番組タイトル３２に基づいて番組タイトル４６を作成して、作成した番組タイトル４６を該別の番組についてのファイル管理情報４２に記録するとともに、該別の番組についての番組コンテンツファイル４３を記録開始する（Ｓ３）。
【００５２】
図５（Ｂ）では、ＣＰＵ９は情報抽出部６から今回与えられる視聴者制限情報と前回与えられた視聴者制限情報とを比較する（Ｓ５）。比較結果、今回与えられた視聴者制限情報が前の視聴者制限情報と異なることを検出すると、放送内容は別の番組に切り替わったことを判定する（Ｓ６）。そこで、別の番組タイトル２７を作成して、作成した番組タイトル２７をロジック回路７に与える。ロジック回路７は、与えられる新たな番組タイトル２７に基づく番組タイトル４６を該別の番組についてのファイル管理情報４２に記録するとともに、該別の番組についての番組コンテンツファイル４３を記録開始する（Ｓ７）。
【００５３】
ここで、図６の録画のための処理フローチャートに従い、録画動作の具体例を図７〜図１０を参照して説明する。図７のように、６：００〜９：００までに放送される３つの番組を録画する場合を想定する。この場合、ＨＤＤ８内の記録内容は図８、図９および図１０にように順に変遷する。
【００５４】
まず、６：００に録画開始がされる。その直後、ＨＤＤ８内のファイル管理領域４０および録画領域４１は図８のようである。具体的には、録画領域４１には録画開始する番組のビットストリームによるコンテンツが番組コンテンツファイル４３として記録開始される。このときファイル管理領域４０では対応のファイル管理情報４２が生成されて、生成されたファイル管理情報４２には録画の開始時刻４４、番組タイトル４６、開始アドレス４７および視聴者制限情報４９が記録される。図８に示されるように録画開始直後においては、終了時刻４５および終了アドレス４８は記録されていない（Ｓ１０）。
【００５５】
その後、ユーザからの録画停止要求が入力部１５などを介して入力されるか否かが判断される（Ｓ１１）。録画停止要求が入力されると（Ｓ１１でＹＥＳ）、このとき録画されつつあった番組に対応のファイル管理情報４２に終了時刻４５および終了アドレス４８が記録されて（Ｓ１２）、その後、録画動作を終了する。
【００５６】
録画停止要求が入力されなければ（Ｓ１１でＮＯ）、番組の変更の有無が判定される。受信する視聴者制限情報は変化せず、番組変更は無いと判定されると（Ｓ１３でＮＯ）、Ｓ１１の処理に戻り、以下同様に処理は継続する。
【００５７】
ここで、例えば、７：００を経過すると、図７に示されるように視聴者制限情報が変化する。視聴者制限情報が変化して、番組変更が有ったと判定されると（Ｓ１３）、前の番組のファイル管理情報４２に、７：００に番組が終了したことを示すために終了時刻４５、および対応の番組コンテンツファイル４３の終了アドレス４８が記録される（Ｓ１４）。その後、７：００から新たに始まった別の番組のためのファイル管理情報４２が生成されて、生成されたファイル管理情報４２には別の番組の番組タイトル４６、開始時刻４４、開始アドレス４７および視聴者制限情報４９が記録される（Ｓ１０）。この時点でのＨＤＤ８内のデータは図９に示される。図９中の下線で示されたデータは７：００に記録されたデータを示す。
【００５８】
さらに、８：００を経過すると、７：００を経過した時点と同様に処理が行なわれる。最後に、９：００に録画が終了すると、最後の番組のファイル管理情報４２に終了時刻４５と終了アドレス４８が書込まれる。録画を終了した時点でのＨＤＤ８内のデータが図１０に示される。図１０においては、録画終了した時点で追加されたデータが下線で示されている。
【００５９】
このように、番組の録画動作は、視聴者制限情報が変化したときに別の番組に変更したと判定して、該別番組の録画が開始されて、別番組について新たに作成された番組タイトル４６が対応付けされて付加（記録）されるので、録画終了した後にユーザが番組毎に区別しながらタイトルを付加する手間を省略できる。
【００６０】
（実施の形態２）
実施の形態２では、録画した番組毎に割当てられた番組タイトル４６を一覧表示するとき現在の視聴者情報２４に基づいてタイトルの表示・非表示が決定されて、決定された態様にてタイトルが表示される。
【００６１】
ここで視聴者情報２４とは、番組の視聴者に関する情報であり、年齢、成人であるか否かなどの情報である。視聴者に関する情報は、前述のフロントパネルから視聴者または視聴者が幼児である場合には親が設定するので、設定内容は入力部１５を介してマイクロプロセッサ１４のメモリに視聴者情報２４記録される。このメモリは電源オフされても記録内容が保持されるようなメモリが望ましい。たとえばＥＥＰＲＯＭ（(Electrically  Erasable  and  Programmable  ＲＯＭ）が適用される。
【００６２】
いま、ＨＤＤ８に図１０のようにデータが記録されており、設定された視聴者情報２４は‘２０歳以上’を示すと想定する。このとき、録画された番組のタイトルの一覧表示が入力部１５を介してユーザにより指示されたとする。マイクロプロセッサ１４は該指示を入力すると、設定されていた視聴者情報２４を読出して、読出された視聴者情報２４とタイトル一覧表示のためのタイトル表示指示信号２２をロジック回路７に与える。
【００６３】
ロジック回路７は、タイトル表示指示信号２２を入力すると、与えられた視聴者情報２４と図１０のファイル管理情報４２のそれぞれに記録された視聴者制限情報４９とを比較照合する。照合結果、視聴者情報２４はいずれの視聴者制限情報４９にも該当しないと判定されるので、図１０のファイル管理情報４２に記録された全ての番組タイトル４６は表示可と判断される。つまり、視聴者情報２４に従えば視聴が制限される番組は録画されてないと判断されるので、ロジック回路７によりＨＤＤ８に記録されている全ての番組タイトル４６が読出される。読出された番組タイトル４６はＯＳＤ１３に与えられる。ＯＳＤ１３は与えられる番組タイトル４６を入力して、図１１（Ａ）で示されるような番組タイトルの一覧表示画面を生成し表示部４６に表示する。
【００６４】
一方、設定されている現在の視聴者情報２４が‘１５歳未満である’ことを示すときは、図１０の２番目のファイル管理情報４２の番組のタイトル４６は表示不可と判断される。つまり、視聴者情報２４に従えば視聴が制限される番組に対応のタイトルであると判断されるので、ロジック回路７はＨＤＤ８から他の２つ番組タイトル４６のみを読出してＯＳＤ１３に与える。したがって表示部１６には、ＯＳＤ１３によって、図１１（Ｂ）に示されるような番組タイトルの画面が表示される。
【００６５】
このように、ＨＤＤ８に録画された番組のタイトル一覧表示画面では、録画された番組のうち、視聴者情報２４に従い視聴が制限されるべき番組のタイトル４６は、表示されないから、再生が制限されるべき番組のタイトルをいちいち確認するユーザの手間を省略できる。
【００６６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００６７】
【発明の効果】
以上のようにこの発明によれば、記録手段による番組の録画では、番組ごとに、該番組のコンテンツデータと、録画に並行してタイトル作成手段により作成された対応のタイトルとが対応付けされてデジタル記録部に記録される。それゆえに、録画終了後に、ユーザが番組毎にタイトルを作成して、付け直す操作を省略できて、操作性は向上する。
【００６８】
またこの発明によれば、デジタル記録部に録画された番組のうち、視聴が制限される番組のタイトルは表示されないから、再生してみるまで視聴が制限される番組であるか否かわからないという不都合は防止される。また、再生時などに視聴が制限される（再生が制限される）番組のタイトルが誤って再生番組として指定されるのを回避できる。
【図面の簡単な説明】
【図１】  この発明の各実施の形態に係るデジタル録画処理装置の構成を周辺部とともに示す図である。
【図２】  この発明の実施の形態１に係るＥＩＴの送信例を示す図である。
【図３】  この発明の実施の形態１に係るＥＩＴの内容例を示す図である。
【図４】  図１のＨＤＤ８における記録内容の一例を示す図である。
【図５】  （Ａ）と（Ｂ）は、ＡＴＳＣ信号による場合とＮＴＳＣ信号による場合の録画に並行した番組タイトル作成のための処理フローチャートである。
【図６】  この発明の実施の形態１に係る録画のための処理フローチャートである。
【図７】  この発明の実施の形態１に係る６：００〜９：００までに放送される３つの番組例を示す図である。
【図８】  図７のように放送される番組を録画する場合のＨＤＤ８の記録内容例を示す図である。
【図９】  図７のように放送される番組を録画する場合のＨＤＤ８の記録内容例を示す図である。
【図１０】  図７のように放送される番組を録画する場合のＨＤＤ８の記録内容例を示す図である。
【図１１】  （Ａ）と（Ｂ）は、この発明の実施の形態に係る録画された番組のタイトル一覧表示画面例を示す図である。
【符号の説明】
１  デジタル録画処理装置、８  ＨＤＤ、１６  表示部、２４  視聴者情報、２７,４６  番組タイトル、３３,４９  視聴者制限情報、４２  ファイル管理情報、４３  番組コンテンツファイル。
【図１】
0004559014.tif 000002
【図２】
0004559014.tif 000003
【図３】
0004559014.tif 000004
【図４】
0004559014.tif 000005
【図５】
0004559014.tif 000006
【図６】
0004559014.tif 000007
【図７】
0004559014.tif 000008
【図８】
0004559014.tif 000009
【図９】
0004559014.tif 000010
【図１０】
0004559014.tif 000011
【図１１】
0004559014.tif 000012